(57)【要約】本発明は空冷式ガスタービン（１０）に関する。本発明によって、タービン（３０）で利用される冷却空気を清浄するための特に有効な処理が講じられる。タービン（３０）の冷却路系（５８）に比較的きれいな冷却空気、即ち、粒子を含まない圧縮冷却空気を流入できるようにするために、取り入れ開口（５４、５５）の半径方向外側にそこから間隔を隔てて粒子分離用保護要素（６０）が設けられ、この保護要素（６０）は圧縮機出口空気内における浮遊粒子が取り入れ開口（５４、５５）に流入することを困難にする。これによって、燃焼ガスに曝される衝突冷却形タービン部品における冷却空気孔の閉塞が防止される。【選択図】図１
2010501764.tif 000002
【特許請求の範囲】
【請求項１】
ケーシング（３２）と機械軸線（３６）に沿って延びるロータ（１６）とを備え、前記ケーシング（３２）の内部に機械軸線（３６）に沿って順々に圧縮機（１２）と少なくとも１個の燃焼器（４０）とタービン（３０）が配置され、軸方向に見て圧縮機（１２）とタービン（３０）との間に、且つ半径方向に見てケーシング（３２）とロータ（１６）との間に、機械軸線（３６）に対して同心的な中空室（２４）が設けられ、この中空室（２４）内に前記燃焼器（４０）が配置され、前記中空室（２４）に圧縮機（１２）で圧縮された吸込み空気が圧縮機出口空気として供給され、タービンを冷却するために少なくとも１つのロータ側の取り入れ開口（５４、５５）を介して圧縮機出口空気の一部が冷却空気として中空室（２４）から取り出され、その取り入れ開口（５４、５５）にその半径方向外側に隣接して、圧縮機出口空気内の浮遊粒子の取り入れ開口（５４、５５）への流入を難しくする粒子分離用保護要素（６０）が設けられているガスタービン（１０）であって、
保護要素（６０）が分離板として形成され、そのタービン（３０）の側の端部（６６）がタービン側ケーシング（３２）に固く結合されていることを特徴とするガスタービン（１０）。
【請求項２】
保護要素（６０）がリング状分離板として形成されていることを特徴とする請求項１に記載のガスタービン（１０）。
【請求項３】
保護要素（６０）が圧縮機（１２）の側に位置しタービン（３０）とは反対の側に位置する端部（６４）を有し、保護要素（６０）のタービン側端部（６６）がその圧縮機側端部（６４）よりも小さな半径を有することを特徴とする請求項１又は２に記載のガスタービン（１０）。
【請求項４】
それぞれの取り入れ開口（５４、５５）が、軸保護スリーブ（３４）の中空室（２４）の側の表面（５２）に設けられていることを特徴とする請求項１ないし３のいずれか１つに記載のガスタービン（１０）。
【請求項５】
それぞれの取り入れ開口（５４）が、ロータ（１６）の端面側表面（５２）と固定された軸保護スリーブ（３４）との間に形成された隙間として形成されていることを特徴とする請求項１ないし３のいずれか１つに記載のガスタービン（１０）。
【請求項６】
保護要素（６０）が、各取り入れ開口（５４）の機械軸線（３６）に沿って見た広がり範囲を完全に覆っていることを特徴とする請求項１ないし５のいずれか１つに記載のガスタービン（１０）。
【請求項７】
機械軸線（３６）に対して同心的に一様に分布して配置された複数の管形燃焼器（４０）を備えていることを特徴とする請求項１ないし６のいずれか１つに記載の定置形軸流ガスタービン（１０）。
【発明の詳細な説明】
【技術分野】
【０００１】
本発明は特許請求の範囲の請求項１の前文に記載のガスタービンに関する。
【０００２】
ガスタービンおよびその機能は一般に知られている。ガスタービンの運転中、タービンの静翼および動翼を冷却するために、冷却圧レベルの冷却空気が必要とされ、その冷却空気は、通常、ガスタービン圧縮機の出口ないしそのディフューザで用意され、そこで取り出される。圧縮機で用意された圧縮空気が圧縮機に前置接続された吸込み室で既に予めろ過して浄化されるけれど、そこに配置されたフィルタは、燃焼ガスに曝されるガスタービンの構造部品を通って流れる冷却空気を必要条件に合わせて浄化するには十分でない。圧縮機出口空気と一緒に運ばれる汚れ粒子は、少なくともタービン冷却用の冷却空気として使用される圧縮機出口空気部分にとっては危険である。その危険は、特にタービン翼の衝突冷却にとって必要な冷却空気孔が、冷却空気内を一緒に運ばれる汚れ粒子がその冷却空気孔に付着することにより閉塞されることにある。このために、タービン翼の必要な冷却が事情によっては永続的には保証されない。
【０００３】
この理由から、そのような障害を防止するために、タービンに利用される冷却空気は追加的処置によって浄化されねばならない。
【０００４】
このために例えばガスタービンの内部に配置されたフィルタパイプが知られている。しかしそのフィルタパイプは高い経費と複雑な構造を生じさせる。また、粒子を方向転換するための圧縮機出口に固定されたバッフル板が知られている。かかるバッフル板は例えば米国特許第４８２０１１６号明細書に示されている。そのバッフル板の圧縮機側端部はディフューザ壁に固定されている。バッフル板のタービン側の端部は自由端となっており、部分的に冷却空気の取り入れ開口の上に張り出し、冷却空気の半径方向流入を可能としている。この方式でも十分な汚れ分離率は得られない。
【０００５】
本発明の課題は、タービン冷却における危険が十分低減されるように改良された冒頭に述べた形式のガスタービンを提供することにある。
【０００６】
この課題を解決するために本発明によって、取り入れ開口にその半径方向外側に隣接して、圧縮機出口空気内の浮遊粒子の取り入れ開口への流入を難しくする汚れ粒子分離用保護要素が設けられていることを提案する。その保護要素は分離板として形成され、そのタービン側の端部はタービン側車室に固く結合されている。この保護要素によって、タービン冷却空気の清浄度が一層向上され、冷却空気内における有害粒子の含有率が著しく低減され、これによって、冷却空気孔の閉塞は滅多に生ぜず、あるいは完全に防止される。保護要素が取り入れ開口に対して間隔を隔てて設けられ、中空室の中に軸方向に突出しているにもかかわらず、その保護要素がタービン冷却路系の入口開口への粒子の流入を効果的に防止することが確認されている。また、圧縮機出口空気の中空室内で生ずる流れの方向転換が、意外にも、かかる保護要素の利用を妨げるかもしれない空冷形燃焼器の冷却妨害を生じさせることはなかった。
【０００７】
保護要素はリング状分離板として形成され、これによって、冷却空気の１つあるいは全ての取り入れ開口はその上側に間隔を隔てて位置する分離板によって完全に覆われる。このようにして、この分離板は特に、圧縮機出口空気内で一緒に運ばれる粒子の取り入れ開口への流入を防止する。
【０００８】
それに応じて、上述の処置はタービン構造部品の永続的な損傷の無い冷却を生じさせ、これによって、ガスタービンの寿命並びに有用性が増大される。
【０００９】
本発明の他の有利な実施態様は従属請求項に記載されている。
【００１０】
保護要素が圧縮機側の端部とその反対側のタービンに固定された端部を有し、そのタービン側端部が圧縮機側端部よりも小さな半径であることが特に有利である。これによりこの保護要素は、機械軸線に対称的なガスタービンの半径方向外側の半部に傾斜面を形成し、この傾斜面に粒子が付着して堆積する。その保護要素の傾斜は、その圧縮機側に位置する自由端がタービン側に位置する固定端より半径方向外側に位置するように選定されている。それに応じて、ガスタービンの半径方向外側半部において、圧縮機出口空気内における浮遊粒子に対する粒子トラップが形成される。重力により生ずる取り入れ開口への粒子の流入も、この問題が生ずるガスタービンの半径方向外側半部において確実に防止される。
【００１１】
本発明の有利な実施態様において、それぞれの取り入れ開口が、ロータを取り囲む軸保護スリーブの外周面に設けられている。その代わりに、それぞれの取り入れ開口をロータの端面側表面と不動軸保護スリーブとの間に形成された隙間として形成することもできる。この処置によって、特に流れ技術的に効果的な様式で、中空室から圧縮機出口空気の一部が冷却空気として取り出され、その冷却空気はロータに導かれる。
【００１２】
この保護要素が各取り入れ開口の機械軸線に沿って見た広がり範囲を完全に、しかしそれに対して間隔を隔てて覆っているとき、粒子の分離率は特に高くなる。
【００１３】
さらに本発明は、機械軸線に対して同心的に一様に分布して配置された複数の管形燃焼器を備えている定置形軸流ガスタービンに利用される。
【００１４】
以下図に示した実施例を参照して本発明を詳細に説明する。
【００１５】
図には、定置形軸流ガスタービン１０における圧縮機１２の出口側端とタービン入口との間の部位が縦断面で示されている。ガスタービン１０の圧縮機１２のうち、ロータ１６に配置された動翼１８と、圧縮機１２を貫流する空気に関してその動翼１８の下流に配置された静翼２０とから成る最終圧縮機段１４だけが示されている。圧縮機静翼２０の下流に圧縮機ディフューザ２２が設けられ、このディフューザ２２を通して、圧縮機１２の出口端から流出する圧縮空気が中空室２４に流入する。燃焼器プレナム２６あるいは単にプレナムとも呼ばれる中空室２６は、軸方向に見て圧縮機１２とタービン３０との間に位置している。このプレナム２６は半径方向に見て外側に位置するケーシング３２と内側に位置するロータ１６ないし軸保護スリーブ３４との間に形成されている。この軸保護スリーブ３４はロータ側に配置されロータを取り囲んでいる。軸保護スリーブ３４は圧縮機側が圧縮機ディフューザ２２ないし圧縮機静翼２０を介してケーシング３２に固く結合され、タービン側がタービン３０の静翼４９に固く結合されている。また、プレナム２６の内部に複数の管形燃焼器４０が円周方向に一様に分布して機械軸線３６に関して同心的に配置されている。ここでは１個の管形燃焼器４０しか示されていない。その各管形燃焼器４０はその圧縮機１２の側の閉鎖端４２に可燃性媒体（燃料）Ｂを供給するためのバーナ４４を有している。管形燃焼器４０の閉鎖端４２とは反対の開口端４６は環状の燃焼ガス通路に移行している。この環状の燃焼ガス通路内に第１タービン段４８の静翼４９が概略的に示されている。その下流にロータ１６に固定されたタービン動翼５０が続いている。
【００１６】
ガスタービン１０の機械軸線３６を中心として回転するロータ１６は、中央タイロッドあるいは複数の偏心タイロッドにより相互に締付け固定された図示されていない複数のロータ円板を有している。その一部のロータ円板は圧縮機１２ないしタービン３０の動翼１８、５０を支持している。
【００１７】
回転しない軸保護スリーブ３４に複数の孔５６が円周方向に分布して設けられている。軸保護スリーブ３４の中空室２４の側の表面（外周面）５２におけるそれらの孔５６の開口は、取り入れ開口５４として形成されている。圧縮機ディフューザ２２を通してプレナム２６に導入された圧縮空気は、一部がタービン部品を冷却するためにそれらの孔５６を通して取り出される。環状の第２取り入れ開口５５が静翼４９のカバー６２と軸保護スリーブ３４の第２部位との間に設けられている。それらの取り入れ開口５４、５５は中空室２４のロータ側の境界壁、即ち、半径方向内側の境界壁に設けられている。しかし図示された方式と異なって、取り入れ開口５４をロータ１６に直接設けることも考えられる。
【００１８】
取り出された圧縮機出口空気は、取り入れ開口５４の下流で、ロータ１６内におよび／又はロータ１６表面に配置された冷却路系５８を介して、第１タービン段４８の動翼５０に冷却のために供給される。第２取り入れ開口５５を通して取り入れられた圧縮機出口空気はタービン静翼４９を冷却するために利用される。さらに、プレナム２６から取り出された冷却空気は、ロータ１６の燃焼ガスに曝される他の部分に、あるいはタービンの構造部品に供給することもできる。
【００１９】
プレナム２６に導入された圧縮機出口空気の大部分は、はじめに管形燃焼器４０を冷却するために用いられ、続いて、燃料Ｂの燃焼によって燃焼ガスを発生するために用いられる。そのために、圧縮機出口空気は開口６８を介して概略的に示された燃焼器流路系に供給され、その燃焼器流路系でバーナ４４に導かれる。
【００２０】
特にきれいな冷却空気を、即ち、ほとんど汚れ粒子を含まない冷却空気を、タービン構造部品例えば静翼４９および／又は動翼５０の冷却用に用意するために、取り入れ開口５４、５５の半径方向外側にそこから間隔を隔てて粒子分離用保護要素６０が設けられている。この保護要素６０は圧縮機出口空気内における浮遊粒子が取り入れ開口５４、５５に流入することを困難にする。その保護要素６０は分離板として形成され、この分離板は静翼４９の静翼カバー６２において、その半径方向内側の端部でタービン３０のケーシング３２に固定されている。例えば環状の分離板としての保護要素６０は機械軸線３６を円錐状に取り囲み、これにより、その圧縮機１２の側の自由端６４は、ケーシング３０に固定された他方端６６よりも大きな半径となっている。
【００２１】
異なった形態において、軸保護スリーブ３４は上述した方式に比べてより短く形成することができ、これによって、ロータ１６の外周面に配置された取り入れ開口５４は、ロータ円板に円周にわたって分布して配置された複数の孔により形成することができ、これらの孔は冷却路系５８に流れ的に接続される。
【００２２】
図において取り入れ開口５４の上側に示された保護要素６０は、以下に述べるように圧縮機出口空気内の浮遊粒子を分離する働きをする。ほぼ１０μｍの粒度の粒子は主に圧縮機ディフューザ２２から流出する圧縮機出口空気の主流７０に従って流れ、これによって、それらの粒子は圧縮機出口空気の大部分と一緒にプレナム２６から管形燃焼器４０に配置された開口６８を通って流出し、バーナ４４に導入され燃焼される。小さな粒子（〜１０μｍ）も含めて一緒に運ばれる主流７０の経路は符号７０が付された矢印で示されている。
【００２３】
比較的小さな粒子はプレナム２６内において主流７０に従って流れるので、その粒子は冷却路系５８の取り入れ開口５４、５５に到達せず、その理由から、水平方向の分離板はその粒度に対して顕著な影響を与えない。
【００２４】
５０μｍより大きな粒度の大きな粒子は、ほぼ水平に配置された分離板によって、冷却路系５８への流入が防止される。圧縮機ディフューザ２２からの圧縮機出口空気と共に流れるそのような大きな粒子は管形燃焼器４０に衝突し、この管形燃焼器４０により下向きに方向転換される。続いて、この方向転換された圧縮機出口空気部分流８０は粒子と共にタービン３０の方向に流れ、半径方向外側から分離板の外側面に衝突する。その圧縮機出口空気はそこから圧縮機ディフューザ２２ないし圧縮機１２の方向に水平に流れる。保護要素６０が取り入れ開口５４の全ての軸方向範囲を覆っているので、粒子はそれに作用する力にもかかわらず冷却路系５８の取り入れ開口５４から遠ざけられる。主流７０はその継続経路において圧縮機１２に導入された大きな粒子を伴い、その粒子を開口６８に運び、そこで粒子はプレナム２６から出る。５０μｍより大きな粒度の粒子の上述した経路は、図において符号８０が付された矢印で示されている。
【００２５】
保護要素６０の固定端６６の半径方向外側に存在する比較的遅い流速の隅領域のため、その箇所で粒子が付着堆積し、これにより、冷却空気の純度が一層高められる。この箇所に付着堆積した粒子はガスタービンおよびその運転に対して無害である。
【００２６】
全体として本発明によって、タービン３０で利用される冷却空気を清浄するための効果的な処置が得られ、これは特に有効である。従って、タービン３０の冷却路系５８に比較的きれいな圧縮冷却空気が流入し、これによって、燃焼ガスに曝される衝突冷却形タービン部品の冷却空気孔の閉塞が防止される。
【図面の簡単な説明】
【００２７】
【図１】本発明に基づくガスタービンの圧縮機出口側端とタービン入口との間の部位の概略縦断面図。
【符号の説明】
【００２８】
１０    ガスタービン
１２    圧縮機
１６    ロータ
２４    中空室
２６    プレナム
３０    タービン
３２    ケーシング
３４    軸保護スリーブ
３６    機械軸線
４０    管形燃焼器
５４    取り入れ開口
５５    取り入れ開口
６０    保護要素
６４    保護要素自由端部
６６    保護要素固定端部
【図１】
2010501764.tif 000003
【国際調査報告】
2010501764.tif 000004
2010501764.tif 000005
2010501764.tif 000006
2010501764.tif 000007
2010501764.tif 000008
2010501764.tif 000009